(57)【特許請求の範囲】
【請求項１】
トレイ状に形成された底板と天板と被梱包物を保護する、保護面側に配された保護板とで構成された梱包装置において、
前記保護面側の端部に、所定の強度を有する部材を覆うように前記被梱包物には段差部が設けられており、
前記保護板には、前記被梱包物の前記段差部とは前記保護面上の反対の端部に、前記保護板と前記被梱包物との空間を閉塞し荷重を支持する支柱部を設け、
前記段差部と前記支柱部とは前記保護面側において略左右対称に配置されたことを特徴とする梱包装置。
【請求項２】
前記保護板に設けられた支柱部は前記保護板の端部を中空直方体状に巻き込んで、前記保護板と一体に形成したことを特徴とする請求項１に記載の梱包装置。
【請求項３】
前記保護板に設けられた支柱部は底板および天板の内部に配した緩衝材と上下端部が接し、
前記支柱部を形成している部分の前記保護板の高さは前記支柱部の高さより高く形成され、前記支柱部を形成していない部分の前記保護板の上端部は前記天板との間に空隙を設けたことを特徴とする請求項１または２に記載の梱包装置。
【発明の詳細な説明】
【技術分野】
【０００１】
本発明は、主に空気調和機や温水暖房機の室外機などの熱交換器を外郭に設けた被梱包物を支持し外力から保護する梱包装置に関するものである。
【背景技術】
【０００２】
図３は、従来の梱包装置の分解斜視図である。従来の室外機の梱包装置は、図３に示すように被梱包物１の上下を底板４と天板８とで支持し、被梱包物１の背面（熱交換器２側）を保護する保護板６を設け、バンド９で結束したものであり、保管時の荷重は全て被梱包物１で支持されており被梱包物１だけで安定した保管が可能であり、保護板６は荷重を支持しない構造になっていた。
【先行技術文献】
【特許文献】
【０００３】
【特許文献１】特開２００３−２３９０号公報
【発明の概要】
【発明が解決しようとする課題】
【０００４】
しかしながら、前記従来の構成では、被梱包物１が温水暖房機の室外機等で、背面の例えば左側の一部に温水ユニット等を設けた形状の場合、背面の右側部分（温水ユニットがない部分）に大きな空間があき、保管時の荷重を均等に被梱包物１で支持することが困難となり、保管時の安定性が悪く保管品質の悪化を招くという課題があった。
【０００５】
本発明は、前記従来の課題を解決するもので、室外機等の被梱包物の背面の一部に温水ユニット等が設けられ、段差のついた背面形状をしていても均等に保管荷重を支持でき、被梱包物の保護も可能な梱包装置を提供することを目的とする。
【課題を解決するための手段】
【０００６】
前記従来の課題を解決するために、本発明の梱包装置は、トレイ状に形成された底板と天板と被梱包物を保護する、保護面側に配された保護板とで構成された梱包装置において、前記保護面側の端部に、所定の強度を有する部材を覆うように前記被梱包物には段差部が設けられており、前記保護板には、前記被梱包物の前記段差部とは前記保護面上の反対の端部に、前記保護板と前記被梱包物との空間を閉塞し荷重を支持する支柱部を設け、前記段差部と前記支柱部とは前記保護面側において略左右対称に配置した構成としたもので
ある。
【０００７】
これによって、保護板の支柱部により保管時の荷重を均等に支持し保管時の安定性が向上する。さらに、被梱包物の保護面側への側部からの外部衝撃に対して、支柱部によって保護面側を保護することも可能となる。また、支柱部を設けることで、段差部と支柱部とが左右対称となり、外観的にも美観性を損なうことがない。
【発明の効果】
【０００８】
本発明の梱包装置は、トレイ状に形成された底板と天板と被梱包物を保護する、保護面側に配された保護板とで構成された梱包装置において、保護面側の端部に、所定の強度を有する部材を覆うように被梱包物には段差部が設けられており、保護板には、被梱包物の段差部とは保護面上の反対の端部に、保護板と被梱包物との空間を閉塞し荷重を支持する支柱部を設け、段差部と支柱部とは保護面側において略左右対称に配置したので、被梱包物背面が段差のついた形状であっても、均等に保管荷重を支持でき、被梱包物の保護も可能な梱包装置を簡単安価に提供することができる。
【図面の簡単な説明】
【０００９】
【図１】本発明の実施の形態１における梱包装置の分解斜視図
【図２】本発明の実施の形態２における梱包装置の要部断面図
【図３】従来例を示す梱包装置の分解斜視図
【発明を実施するための形態】
【００１０】
第１の発明は、トレイ状に形成された底板と天板と被梱包物を保護する、保護面側に配された保護板とで構成された梱包装置において、前記保護面側の端部に、所定の強度を有する部材を覆うように前記被梱包物には段差部が設けられており、前記保護板には、前記被梱包物の前記段差部とは前記保護面上の反対の端部に、前記保護板と前記被梱包物との空間を閉塞し荷重を支持する支柱部を設け、前記段差部と前記支柱部とは前記保護面側において略左右対称に配置したことにより、保護板の支柱部で保管時の荷重を均等に支持し保管時の安定性が向上する。さらに、被梱包物の保護面側への側部からの外部衝撃に対して、支柱部によって保護面側を保護することも可能となる。また、支柱部を設けることで、段差部と支柱部とが左右対称となり、外観的にも美観性を損なうことがない。
【００１１】
第２の発明は、第１の発明において、前記保護板に設けられた支柱部は前記保護板の端部を中空直方体状に巻き込んで、前記保護板と一体に形成したことにより、簡単安価に保護板の支柱部を形成することが可能となる。
【００１２】
第３の発明は、第１の発明、又は第２の発明において、前記保護板に設けられた支柱部は底板および天板の内部に配した緩衝材と上下端部が接し、前記支柱部を形成している部分の前記保護板の高さは前記支柱部の高さより高く形成され、前記支柱部を形成していない部分の前記保護板の上端部は前記天板との間に空隙を設けたことにより、保護板の強度の高い支柱部で、被梱包物の保護面の段差部のない側の荷重を受け、保管時の安定性を向
上させるとともに、保護板の支柱部を設けていない強度の低い平板状部分については、天板との間に空隙を設け、荷重をかけないようにすることで保護板の変形を防止することができる。
【００１３】
以下、本発明の実施の形態について、図面を参照しながら説明する。なお、この実施の形態によって本発明が限定されるものではない。従来の構成と同じ部位については、同じ符号を付して説明する。
【００１４】
（実施の形態１）
図１は、本発明の第１の実施の形態における梱包装置の分解斜視図である。
【００１５】
図１に示すように、温水暖房機の室外機等の被梱包物１は背面の大半を熱交換器２で構成されており、熱交換器２が被梱包物１の外面に露出している。そして、熱交換器２と同一面の左側に縦長の温水ユニット（図示せず）等の所定の強度を有する部材が設けられており、被梱包物１の背面に温水ユニットを覆うように段差部３を形成している。この被梱包物１を梱包する梱包装置は、以下のように構成される。
【００１６】
まず、トレイ状に形成された底板４の中に被梱包物１を支持する緩衝材５が挿入され、この底板４の緩衝材５の部分に被梱包物１を設置する。そして、被梱包物１の熱交換器２を保護する保護板６を背面側に設け、底板４に設置する。この保護板６には、端部を中空直方体状に折り込んだ支柱部７を形成しており、被梱包物１の背面側の右端、すなわち段差部３とは反対の端に支柱部７が設置されるように保護板６を底板４に設置する。そして、底板４と同様にトレイ状に形成され中に緩衝材（図示せず）を挿入した天板８を設け、被梱包物１と保護板６の上部に天板８を設置し、被梱包物１と保護板６の支柱部７とが、底板４の緩衝材５と天板８の緩衝材（図示せず）の間に支持された状態で、バンド９にて底板４と天板８とを結束して梱包を完成させる。
【００１７】
以上のように、本実施の形態においては、保護板６に支柱部７を設けることで、被梱包物１の背面の段差部３のない側に荷重がかかったとしても、支柱部７で受けることができ、荷重を均等に受けることが可能となり保管時の安定性を向上させることが可能となる。
【００１８】
また、支柱部７によって、側部からの外部衝撃による熱交換器２の保護も可能となる。
【００１９】
また、支柱部７を設けることで、段差部３と支柱部７とが左右対称となっているので、外観的にも美観性を損なうことがない。
【００２０】
さらに、支柱部７は保護板６の端部を中空直方体状に折り込んで形成しているので、簡単安価に本構成を実施可能となる。
【００２１】
（実施の形態２）
図２は、本発明の第２の実施の形態における梱包装置の要部断面図である。
【００２２】
図２に示すように、底板４と天板８を連結した保護板６は、底板４とその下端部が接しており、支柱部７の下端部は底板４に配した緩衝材５と接している。一方、支柱部７の上端部は天板８に配した緩衝材５と接しているが、支柱部７を形成していない部分の保護板６の上端部は天板８との間に空隙Ｔを設けた構成としている。
【００２３】
以上のように、本実施例の形態においては、保護板６の強度の高い支柱部７で、被梱包物１の背面の段差部３のない側の荷重を受け、保管時の安定性を向上させるとともに、保護板６の支柱部７を設けていない強度の低い平板状部分については、天板８との間に空隙Ｔを設け、荷重をかけないようにすることで保護板の変形を防止することができる。
【産業上の利用可能性】
【００２４】
以上のように、本発明にかかる梱包装置は保護板に支柱部を構成することで被梱包物の保管時の安定性を向上させ、被梱包物の保護機能も向上させるものであり、室外機に限らずあらゆる被梱包物の梱包装置に適用できる。
【符号の説明】
【００２５】
１  被梱包物（室外機）
２  熱交換器
３  段差部（温水ユニット）
４  底板
５  緩衝材
６  保護板
７  支柱部
８  天板
９  バンド
【図１】
0005938545.tif 000002
【図２】
0005938545.tif 000003
【図３】
0005938545.tif 000004